(57)【特許請求の範囲】
【請求項１】
端部にジャーナルを有するローラシェルと、鉄心とその外周に巻装された複数の誘導コイルからなる誘導発熱機構と、前記ジャーナル内を挿通し前記誘導発熱機構を前記ローラシェル内で支持する支持ロッドとを備え、前記誘導コイルの各々に接続されている複数のリード線を、前記支持ロッド内を挿通して外部に引き出してなる誘導発熱ローラ装置において、前記支持ロッドの前記ジャーナルより外部に引き出されている端部に前記ジャーナルの内外に装着される軸受内径よりも小さい外形の中継ボックスを固定し、前記中継ボックスの表面に、支持ロッド内を挿通して外部に引き出した前記複数のリード線がそれぞれ接続される複数のコネクタのレセプタクルを、前記支持ロッドの軸方向と同方向に配列して設け、前記複数のレセプタクルのそれぞれに脱着自在に接続されるプラグに、前記複数の誘導コイルをそれぞれ励磁する励磁電源に接続される電源線を接続してなる誘導発熱ローラ装置。
【請求項２】
前記中継ボックスに温度センサ用およびアース用のレセプタクルを付加してなることを特徴とする請求項１に記載の誘導発熱ローラ装置。
【請求項３】
前記中継ボックスに、冷却媒体供給管、同排出管および乾燥気体が供給される供給管のそれぞれの端部に連なる受けプラグを付加してなることを特徴とする請求項１又は請求項２に記載の誘導発熱ローラ装置。
【発明の詳細な説明】
【０００１】
【発明の属する技術分野】
本発明は誘導発熱ローラ装置に関するものである。
【０００２】
【従来の技術】
誘導発熱ローラ装置において、回転するローラシェルの内部に、鉄心と、この鉄心の外周に巻装される誘導コイルとからなる誘導発熱機構を配備した構成はよく知られている。このような構成からなる従来の誘導発熱ローラ装置を図５によって説明すると、１はローラシェル、２はその両側に一体的に取り付けられてあるジャーナルで、軸受３を介して機台４に回転自在に支持され、任意の駆動源によって回転駆動される。
【０００３】
５は誘導発熱機構で、支持ロッド６によりローラシェル１の内部に支持されて配置されている。支持ロッド６はジャーナル２内に挿通され、軸受７を介してジャーナル２に支持されている。誘導発熱機構５は筒状の鉄心８と、その外周に巻装されていて、互いに並設されている複数の誘導コイル９とにより構成されている。誘導コイル９はリード線１０を介して外部の交流電源に接続される。１１はローラシェル１の周壁内部に設けられたジャケット室で、ここには気液二相の熱媒体が封入されている。
【０００４】
なお１２は鉄心８、誘導コイル９からなる誘導発熱機構５を冷却するために、冷却媒体が供給される供給管、１３は鉄心８の内側に添接する冷却管で、供給管１２から冷却媒体が供給される。各冷却管１３は連結管１４により順次連結されている。１５は冷却管１４を流れた冷却媒体が排出される排出管である。１６は冷却された誘導発熱機構５に結露するのを防止するために、乾燥気体を供給する供給管である。なお１７は並設されている誘導コイル９の両側に配備されている補助誘導コイルである。
【０００５】
このような構成の誘導発熱ローラ装置における誘導コイル９を、その励磁電源に接続するために、個々の誘導コイルの両端のそれぞれにリード線１０が接続され、このリード線１０はローラシェル１の内部から外部に引きだされる。そしてローラシェル１の外部において励磁電源に接続される。この場合従来ではリード線１０を、図５に示すように支持ロッド６の端部から外部に引き出すようにしていた。
【０００６】
しかしこのように各リード線１０を支持ロッド６の端部から外部に引き出すようにしておくと、たとえば完成された誘導発熱ローラ装置を機台４から降ろし、クレーンなどによって吊り下げたとき、リード線１０が支持ロッド６の端部から垂れ下がるようになり、そのため吊り下げ状態でバランスが崩れたりする。またクレーンにより移動させるときも、垂れ下がっているリード線１０を、これが床上にある他の器物に当らないように、引き上げたりすることが必要となる。
【０００７】
あるいは組み立てられた誘導発熱ローラ装置の軸受７を交換する場合、ジャーナル２から除去した軸受７を、リード線１０から引き抜く必要がある。リード線１０の長さは通常５ｍ〜７ｍ程度であるから、このような長いリード線１０から軸受７を引き抜くのは極めて面倒である。いずれにしても支持ロッド６から引き出されているリード線１０の処置は容易ではない。
【０００８】
【発明が解決しようとする課題】
本発明は、誘導コイルをその励磁電源に接続するのに必要なリード線が、運搬その他に際して邪魔な存在にならないようにし、もって誘導発熱ローラ装置のハンドリングの簡易化を図ることを目的とする。
【０００９】
【課題を解決するための手段】
本発明は、端部にジャーナルを有するローラシェルと、鉄心とその外周に巻装された複数の誘導コイルからなる誘導発熱機構と、前記ジャーナル内を挿通し前記誘導発熱機構を前記ローラシェル内で支持する支持ロッドとを備え、前記誘導コイルの各々に接続されている複数のリード線を、前記支持ロッド内を挿通して外部に引き出してなる誘導発熱ローラ装置において、前記支持ロッドの前記ジャーナルより外部に引き出されている端部に前記ジャーナルの内外に装着される軸受内径よりも小さい外形の中継ボックスを固定し、前記中継ボックスの表面に、支持ロッド内を挿通して外部に引き出した前記複数のリード線がそれぞれ接続される複数のコネクタのレセプタクルを、前記支持ロッドの軸方向と同方向に配列して設け、前記複数のレセプタクルのそれぞれに脱着自在に接続されるプラグに、前記複数の誘導コイルをそれぞれ励磁する励磁電源に接続される電源線を接続してなることを主要な特徴とする。
【００１０】
中継ボックスに設置されているレセプタクルには、誘導コイルからのリード線が接続されているので、誘導コイルに励磁電源を接続する場合には、単にコネクタのレセプタクルにプラグを差し込んで接続すればよい。したがってコネクタからプラグを抜いた状態では、支持ロッドからリード線が引き出され、垂れ下がるといった状態は起こらない。したがってリード線がなんら邪魔になることなく、誘導発熱ローラ装置の運搬その他の処置、すなわちハンドリングが極めて容易となる。
【００１１】
【発明の実施の形態】
本発明の実施態様を図１以降の各図によって説明する。なお図５に示す符号と同じ符号を附した部分は、同一または対応する部分を示す。図１における支持ロッド６の、ローラシェル１より外部に引き出されている端部に、中継ボックス２１を固定して取り付ける。中継ボックス２１はボックス本体２２と、これに蝶番２３により開閉自在に取り付けられている蓋体２４とから構成されている。
【００１２】
支持ロッド６から引き出されたリード線１０は、中継ボックス２１の内部に引き込まれている。ボックス本体２２の表面には、複数のコネクタのレセプタクル２５が取り付けられている。そして中継ボックス２１の内部に引き込まれた誘導コイル９のリード線１０は、レセプタクル２５に接続されている。この接続は蓋体２４を開き、ボックス本体２２の内部を開放することにより行われる。
【００１３】
図の例では一本のリード線１０につき、ひとつのレセプタクル２５が対応して接続されている。各レセプタクル２５にはプラグ２６が差し込まれることによって、ピン接続される。プラグ２６は電源線２７を介して励磁電源に接続されている。したがってこのレセプタクル２５とプラグ２６を介して誘導コイル９は励磁電源に接続されることになる。
【００１４】
以上の構成において、プラグ２６をレセプタクル２５から抜き取った状態にあるときは、誘導コイル９は励磁電源との接続が断たれた状態にあり、かつリード線１０はレセプタクル２５に接続されているものの、中継ボックス２１から外部にはなんらリード線、電源線は引き出されていない状態にある。したがってローラシェル１を含む誘導発熱ローラ装置をクレーンで吊り下げた場合、あるいは運搬する場合、垂れ下がるリード線は何もないので、その作業は容易である。
【００１５】
また軸受３あるいは軸受７を取り外すなどして交換する場合、中継ボックス２１の外形をジャーナル２のに装着される軸受よりも小さい外形としているので、軸受３を中継ボックス２１から抜き取ることによってその取外しが容易となる。さらに、中継ボックス２１の外形を軸受７より小さくした場合は、軸受７を中継ボックス２１から抜き取ることによってその取外しが容易となる。
【００１６】
なお必要により図のように補助誘導コイル１７を使用する場合は、そのリード線１０Ａを中継ボックス２１に設けた別のコネクタのレセプタクル２５Ａに接続し、これに差し込まれるプラグ２６Ａに接続されている電源線２７Ａを介して励磁電源に接続するようにすればよい。
【００１７】
さらに必要により誘導コイル９の温度センサ、軸受７の温度センサ、排出管１５の出口における温度センサからの出力信号を外部に伝送する場合でも、中継ボックス２１に取り付けたコネクタのレセプタクル３１、３２、３３を利用すれば、この出力信号の伝送に必要な外部電線を、誘導発熱ローラ装置から着脱自在に接続することができる。
【００１８】
またさらに必要により冷却媒体供給用の供給管１２、同排出管１５、乾燥気体が供給される供給管１６のそれぞれの端部に連なる受けプラグ３４、３５、３６を中継ボックス２１に取り付けておき、これに冷却媒体供給源、同排路、乾燥気体供給源に連なる差し込みプラグ３７、３８、３９を差し込み自在としておけば、冷却媒体供給源、同排路、乾燥気体供給源に連なる管体を、誘導発熱ローラ装置から着脱自在に接続することができる。なお４０はアース用のレセプタクルで、これも中継ボックス２１に取り付けられている。
【００１９】
【発明の効果】
以上説明したように本発明によれば、誘導コイルに接続されるリード線を外部の励磁電源に接続する構成として、支持ロッドの端部に取り付けた中継ボックスにコネクタを取付けておき、これにリード線を接続するとともに、電源線が接続されているプラグを着脱自在としたので、このプラグを抜き取った状態では、リード線はローラシェルを含む誘導発熱ローラ装置から外部に出ることはなく、したがって誘導発熱ローラ装置のハンドリングが極めて簡単となる効果を奏する。
【図面の簡単な説明】
【図１】本発明の実施態様を示す断面図である。
【図２】図１の部分拡大断面図である。
【図３】図２の底面図である。
【図４】図１側面図である。
【図５】従来例の断面図である。
【符号の説明】
１  ローラシェル
５  誘導発熱機構
６  支持ロッド
８  鉄心
９  誘導コイル
１０  リード線
２１  中継ボックス
２４  コネクタ
【図１】
0003578976.tif 000002
【図２】
0003578976.tif 000003
【図３】
0003578976.tif 000004
【図４】
0003578976.tif 000005
【図５】
0003578976.tif 000006